(57)【要約】【課題】  グローブポートに押込み治具用の係止部を設けることなく押込み治具を取り付ける。【解決手段】  気密テストを行うためにグローブポートの開口を塞ぐ蓋を固定する複数のボルト穴３９に、ボルト頭をベース板１の厚さよりも押さえフランジ３７から浮かしてねじ込まれたボルト４１を備え、ベース板１に、ボルト４１の頭よりも大きい大孔２５と、この大孔２５に連続し、ボルト４１の頭よりも幅が狭く、かつ、ボルト４１のネジ部の外径よりも幅が広い長孔２７を有してなる係止孔２３を複数のボルト穴３９に対応する位置に設けることにより、ボルト４１の頭を係止孔２３の大孔２５に通し、押込み治具を回転させるなどしてボルト４１のネジ部を長孔２７に位置させて係止できる。したがって、押込み治具用の係止部が予め設けられていないグローブポートに押込み治具を取り付けることができる。【選択図】    図３ 
2005241432.tif 000002
【特許請求の範囲】
【請求項１】
グローブボックスのパネルの開口部の内側に位置されるフランジを有し、前記グローブボックスの外側に位置されるリング状の押さえフランジが前記パネルを挟んで前記フランジに止めネジで締結され、前記押さえフランジにグローブポートの開口を塞ぐ気密テスト用蓋を固定するボルト穴が形成されてなるグローブポートに取り付け、該グローブポートにインナーリングまたは気密栓を挿入する押込み治具であって、
円環状のベース板と、該ベース板に支柱を介して設けられた支持部材に形成されたネジ孔に螺合された送りロッドと、該送りロッドの先端に設けられ前記インナーリングまたは前記気密栓に当接可能に設けられた当て部材と、該送りロッドを回すハンドルと、
前記気密テスト用蓋を固定する複数のボルト穴に、ボルト頭を前記ベース板の厚さよりも前記押さえフランジから浮かしてねじ込まれたボルトとを備え、
前記ベース板は、前記ボルト頭よりも大きい大孔と、該大孔に連続し、前記ボルト頭よりも幅が狭く、かつ、前記ボルトのネジ部の外径よりも幅が広い長孔を有してなる係止孔が前記複数のボルト穴に対応する位置に設けられてなることを特徴とする押込み治具。
【請求項２】
前記支柱は、複数本設けられ、前記各支柱の間隔のうち少なくとも１つの間隔は、前記インナーリングおよび前記気密栓の外径よりも広いことを特徴とする請求項１に記載の押込み治具。
【発明の詳細な説明】
【技術分野】
【０００１】
本発明は、グローブポートにインナーリングまたは気密栓を挿入する押込み治具に関する。
【背景技術】
【０００２】
例えば、放射性物質などの汚染物質を取り扱う場合、作業員の安全性を確保するために、負圧に保たれたグローブボックスの内部で汚染物質を取り扱うようにしている。
【０００３】
このグローブボックスに設けられるグローブポートは、例えば、グローブボックスのパネルの開口部の内側に位置されるフランジを有し、このフランジにグローブボックスの外側からリング状の押さえフランジを止めネジで締結してパネルを挟持して取り付けられる（例えば、特許文献１参照）。特許文献１によれば、グローブをグローブポートに装着する方式として、グローブをグローブポート内に嵌装されるインナーリングに装着し、そのインナーリングをグローブポートに挿入するものが提案されている。
【０００４】
このようなインナーリングをグローブポートに挿入する際、グローブポートに設けられた突起に押込み治具を係止して、この押込み治具のネジ送り機構によりインナーリングをグローブポートに押込んで挿入するものが提案されている（例えば、特許文献２参照）。
【０００５】
【特許文献１】特開２００４−２５３６６号公報（第３、５図、第２−３頁参照）
【特許文献２】特開平７−６３８９０号公報（第１−２図、第２−３頁参照）
【発明の開示】
【発明が解決しようとする課題】
【０００６】
しかし、特許文献２によれば、グローブポートに押込み治具を係止する突起が設けられていないグローブポートに適用できない。
【０００７】
本発明の課題は、グローブポートに押込み治具用の係止部を予め設けることなく取り付けられることができる押込み治具を提供することにある。
【課題を解決するための手段】
【０００８】
上記課題を解決するために、本発明は、気密テストをするためにグローブポートの開口を塞ぐ蓋を固定するボルト穴がグローブポートの押さえフランジに設けられていることに着目してなされたものである。
【０００９】
すなわち、本発明は、グローブボックスのパネルの開口部の内側に位置されるフランジを有し、グローブボックスの外側に位置されるリング状の押さえフランジがパネルを挟んでフランジに止めネジで締結され、この押さえフランジにグローブポートの開口を塞ぐ気密テスト用蓋を固定する複数のボルト穴が形成されてなるグローブポートに取り付けられる押込み治具を対象とする。
【００１０】
本発明の押込み治具は、円環状のベース板と、このベース板に支柱を介して設けられた支持部材に形成されたネジ孔に螺合された送りロッドと、この送りロッドの先端に設けられインナーリングまたは気密栓に当接可能に設けられた当て部材と、この送りロッドを回すハンドルとを備えて構成され、気密テスト用蓋を固定する複数のボルト穴に、ボルト頭をベース板の厚さよりも押さえフランジから浮かしてボルトをねじ込み、ベース板の複数のボルト穴に対応する位置に、ボルト頭よりも大きい大孔と、この大孔に連続し、ボルト頭よりも幅が狭く、かつ、ボルトのネジ部の外径よりも幅が広い長孔を有してなる係止孔を設けたことを特徴とする。
【００１１】
このように構成することにより、押込み治具をグローブポートに取り付けるとき、グローブポートの押さえフランジに設けられている気密テスト用蓋の複数のボルト穴に、ボルト頭を浮かせた状態でボルトをねじ込み、そのボルト頭を、押込み治具のベース板の係止孔の大孔に通し、ベース板を回転させてボルトのネジ部を長孔に位置させることにより、ボルト頭を係止孔に引掛けることができる。これによれば、押込み治具用の係止部が予め設けられていなくても、グローブポートに押込み治具を取り付けることができる。
【００１２】
また、支柱を複数設ける場合、各支柱の間隔のうち少なくとも1つの間隔を、インナーリングおよび気密栓の外径よりも広くすれば、押込み治具をグローブポートに係止した後に、インナーリングや気密栓を取り付けることができるので好ましい。
【発明の効果】
【００１３】
本発明によれば、グローブポートに押込み治具用の係止部を予め設けることなく押込み治具を取り付けることができる。
【発明を実施するための最良の形態】
【００１４】
以下、本発明の実施の形態を図面を用いて説明する。図1は、本発明の押込み治具の一実施形態の正面図である。図２は、図１のＩＩ−ＩＩ断面図である。図３は、図２のＩＩＩ−ＩＩＩ断面図であり、押込み治具をグローブポートに取り付けた状態を説明する図である。
【００１５】
本実施形態の押込み治具は、図１および図２に示すように、円環状のベース板１と、ベース板１に支柱３を介して設けられた支持部材５を有して構成されている。支柱３は、例えば、ベース板１の円周上に分散させて４本設けられている。各支柱３は、ベース板１の面に対して垂直に設けられている。
【００１６】
支持部材５の中心にネジ孔７が設けられ、このネジ孔７に螺合させて送りロッド９が設けられている。送りロッド９は、支柱３と平行で、かつ、送りロッド９の軸がベース板１の円環中心を通るように設けられている。送りロッド９は、ベース板１側の端に当て部材１１が設けられ、反対側の端にハンドル１３が設けられている。当て部材１１は、円板状に形成され、円板の外周部の前端に縮径部１７が形成され、後端に鍔部１９が形成されている。縮径部１７は、インナーリングや気密栓の内径に嵌合する寸法に形成されている。鍔部１９は、インナーリングおよび気密栓の端に当接して押すことができる大きさに形成されている。当て部材１１には、支柱３に当接して摺動可能なガイド２１部が設けられている。
【００１７】
この押込み治具は、図３に示すように、グローブポートに取り付けられる。グローブポートは、筒部３１の一端にフランジ３３を有して構成されている。フランジ３３は、グローブボックスのパネル３５の開口部の内側に位置される。フランジ３３には、グローブボックスの外側に位置されるリング状の押さえフランジ３７が図示していない止めネジにより締結されるようになっている。パネル３５は、フランジ３３と押さえフランジ３７によって狭持され、これにより、グローブポートがグローブボックスに取り付けられている。押さえフランジ３７には、グローブポートの筒部３１の開口を塞ぐ気密テスト用蓋を固定するためのボルト穴３９が形成されている。このボルト穴３９は、例えば、円周上に等間隔に４箇所配置されている。
【００１８】
次に、押込み治具の取り付け作業について説明する。まず、グローブポートの押さえフランジ３７の４つのボルト穴３９にそれぞれボルト４１をねじ込む。各ボルト４１のボルト頭は、ベース板１の厚さよりも押さえフランジ３７の面から浮かせて位置させる。
【００１９】
一方、押込み治具のベース板１には、ボルト４１の位置に合わせて円周上に等間隔に４つの係止孔２３が形成されている。係止孔２３は、図２に示すように、大孔２５と、大孔２５に連続する長孔２７とで形成されている。大孔２５は、ボルト４１の頭よりも大きく形成されている。長孔２７は、ボルト４１の頭よりも幅が狭く、かつ、ボルト４１のネジ部の外径よりも幅が広く形成されている。
【００２０】
次に、グローブポートにねじ込んだボルト４１に、押込み治具のベース板１の係止孔２３を合わせ、ボルト４１の頭を係止孔２３の大孔２５に通す。そして、ボルト４１が長孔２７に嵌るようにベース板１を回転させる。これにより、ボルト４１の頭が係止孔２３に引掛けられ、押込み治具がグローブポートに係止される。
【００２１】
このように本実施形態によれば、押込み治具用の係止部が予め設けられていないグローブポートである、例えばグローブを折り返してポートの外周に装着する方式のグローブポートなどにも押込み治具を取り付けられる。すなわち、グローブポートに押込み治具用の係止部を予め設けることなく押込み治具を取り付けることができる。また、ボルト４１を常時グローブポートに装備しておけば、例えば、緊急にグローブを交換する場合などに対応できる。
【００２２】
このような押込み治具により、インナーリング４３をグローブポートに挿入する手順としては、当て部材１１の縮径部１７にインナーリング４３を嵌め込んだ後、押込み治具をグローブポートに係止し、ハンドル１３を回して当て部材１１の鍔部１９でグローブポート側に前進させる。これにより、インナーリング４３はグローブポートに押込まれて挿入される。なお、図２に示すように、押込み治具の各支柱３の間隔のうちの１つをインナーリング４３の外径よりも広くすれば、押込み治具をグローブポートに係止した後に、インナーリング４３を縮径部１７に取り付けることができる。
【００２３】
また、長孔２７には、長孔２７に嵌ったボルト４１を固定する周知のストッパなどを設けることができる。また、本実施形態のように当て部材１１に支柱３に当接して摺動可能なガイド部２１を設ければ、押込み時に当て部材１１が振れることを防止できる。
【００２４】
また、本実施形態では、インナーリング４３をグローブポートに挿入する手順について説明したが、インナーリング４３に代えて、グローブポートに嵌装される気密栓も同様に適用することができる。
【図面の簡単な説明】
【００２５】
【図１】本発明の押込み治具の一実施形態の正面図である。
【図２】図１のＩＩ−ＩＩ断面図である。
【図３】図２のＩＩＩ−ＩＩＩ断面図であり、押込み治具をグローブポートに取り付けた状態を説明する図である。
【符号の説明】
【００２６】
１  ベース板
３  支柱
５  支持部材
７  ネジ孔
９  送りロッド
１１  当て部材
１３  ハンドル
２３  係止孔
３５  フランジ
３７  押さえフランジ
３９  ボルト穴
４１  ボルト
【図１】
2005241432.tif 000003
【図２】
2005241432.tif 000004
【図３】
2005241432.tif 000005